(57)【特許請求の範囲】
【請求項１】
第１の下敷きシートと、当該第１の下敷きシートの上に、粘着剤により引きはがし可能に重ねられ、上面に粘着剤が塗布されるとともに、各々がひと続きである２領域に分離されている第１の付着物記録シートと、当該第１の付着物記録シートの上に引きはがし可能に重ねられた第１の保護シートと、を備え、前記第１の付着物記録シートは、人の右手の手形を表示しており、前記２領域は、当該右手の手形の各指の領域を分割し合うとともに、当該右手の手形の掌の領域をも分割し合っている、第１の痴漢無実証明シートと、
第２の下敷きシートと、当該第２の下敷きシートの上に、粘着剤により引きはがし可能に重ねられ、上面に粘着剤が塗布されるとともに、各々がひと続きである２領域に分離されている第２の付着物記録シートと、当該第２の付着物記録シートの上に引きはがし可能に重ねられた第２の保護シートと、を備え、前記第２の付着物記録シートは、人の左手の手形を表示しており、前記２領域は、当該左手の手形の各指の領域を分割し合うとともに、当該左手の手形の掌の領域をも分割し合っている、第２の痴漢無実証明シートと、を備える痴漢無実証明具。
【請求項２】
第３の下敷きシートと、当該第３の下敷きシートの上に、粘着剤により引きはがし可能に重ねられ、上面に粘着剤が塗布されるとともに、各々がひと続きである２領域に分離されている第３の付着物記録シートと、当該第３の付着物記録シートの上に引きはがし可能に重ねられた第３の保護シートと、を備え、前記第３の付着物記録シートの前記２領域は、前記第３の付着物記録シートのある領域を、細長状の小領域に交互に分割している、第３の痴漢無実証明シートを、さらに備える請求項１に記載の痴漢無実証明具。
【請求項３】
請求項１又は２に記載の痴漢無実証明具であって、当該痴漢無実証明具が備える前記痴漢無実証明シートのすべてを収納する収納袋を、さらに備える痴漢無実証明具。
【請求項４】
前記収納袋に収納されるすべての前記痴漢無実証明シートの付着物記録シートの前記第１及び第２の領域を分離して収納可能な２つの袋を、さらに備える請求項３に記載の痴漢無実証明具。
【請求項５】
前記収納袋に収納され、拇印又は印鑑押印のための朱肉を、さらに備える請求項３又は４に記載の痴漢無実証明具。
【請求項６】
シート状であり、一主面に粘着剤が塗布されるとともに、各々がひと続きである２領域に分離されており、かつ人の手形を表示しており、前記２領域は、当該手形の各指の領域を分割し合うとともに、当該手形の掌の領域をも分割し合っている、付着物記録シート。
【請求項７】
請求項１に記載の痴漢無実証明具の使用方法であって、
前記第１の痴漢無実証明シートの前記第１の保護シートを引きはがし、前記第１の付着物記録シートの前記手形の上に、痴漢被疑者の右手を押し当てることと、
前記痴漢被疑者の右手が押し当てられた前記第１の付着物記録シートの前記第１の領域と前記第２の領域とを、互いに分離することと、
前記第２の痴漢無実証明シートの前記第２の保護シートを引きはがし、前記第２の付着物記録シートの前記手形の上に、前記痴漢被疑者の左手を押し当てることと、
前記痴漢被疑者の左手が押し当てられた前記第２の付着物記録シートの前記第１の領域と前記第２の領域とを、互いに分離することと、
互いに分離された前記第１の付着物記録シートの前記第１の領域と前記第２の領域との一方を、第１の袋に収納することと、
互いに分離された前記第１の付着物記録シートの前記第１の領域と前記第２の領域との他方を、第２の袋に収納することと、
互いに分離された前記第２の付着物記録シートの前記第１の領域と前記第２の領域との一方を、第３の袋に収納することと、
互いに分離された前記第２の付着物記録シートの前記第１の領域と前記第２の領域との他方を、第４の袋に収納することと、
収納がなされた前記第１から第４の袋を封じることと、
前記第１から第４の袋の封じられた部位に、前記痴漢被疑者と、警察官または痴漢被害者とが、拇印又は押印を付すことと、
拇印又は押印の付された前記第１及び第３の袋と、拇印又は押印の付された前記第２及び第４の袋とを、拇印又は押印を付した者の間で分配することと、を備える痴漢無実証明具の使用方法。
【請求項８】
請求項２に記載の痴漢無実証明具の使用方法であって、
前記第１の痴漢無実証明シートの前記第１の保護シートを引きはがし、前記第１の付着物記録シートの前記手形の上に、痴漢被疑者の右手を押し当てることと、
前記痴漢被疑者の右手が押し当てられた前記第１の付着物記録シートの前記第１の領域と前記第２の領域とを、互いに分離することと、
前記第２の痴漢無実証明シートの前記第２の保護シートを引きはがし、前記第２の付着物記録シートの前記手形の上に、前記痴漢被疑者の左手を押し当てることと、
前記痴漢被疑者の左手が押し当てられた前記第２の付着物記録シートの前記第１の領域と前記第２の領域とを、互いに分離することと、
前記第３の痴漢無実証明シートの前記第３の保護シートを引きはがし、前記第３の付着物記録シートの、細長状の小領域に交互に分割された前記領域を、痴漢被害者の身体又は衣服の上に押し当てることと、
前記痴漢被害者の身体又は衣服の上に押し当てられた前記第３の付着物記録シートの前記第１の領域と前記第２の領域とを、互いに分離することと、
互いに分離された前記第１の付着物記録シートの前記第１の領域と前記第２の領域との一方を、第１の袋に収納することと、
互いに分離された前記第１の付着物記録シートの前記第１の領域と前記第２の領域との他方を、第２の袋に収納することと、
互いに分離された前記第２の付着物記録シートの前記第１の領域と前記第２の領域との一方を、第３の袋に収納することと、
互いに分離された前記第２の付着物記録シートの前記第１の領域と前記第２の領域との他方を、第４の袋に収納することと、
互いに分離された前記第３の付着物記録シートの前記第１の領域と前記第２の領域との一方を、第５の袋に収納することと、
互いに分離された前記第３の付着物記録シートの前記第１の領域と前記第２の領域との他方を、第６の袋に収納することと、
収納がなされた前記第１から第６の袋を封じることと、
前記第１から第６の袋の封じられた部位に、前記痴漢被疑者と、警察官または痴漢被害者とが、拇印又は押印を付すことと、
拇印又は押印の付された前記第１、第３及び第５の袋と、拇印又は押印の付された前記第２、第４及び第６の袋とを、拇印又は押印を付した者の間で分配することと、を備える痴漢無実証明具の使用方法。
【請求項９】
請求項６に記載の付着物記録シートの使用方法であって、
前記付着物記録シートの前記手形の上に、痴漢被疑者の手を押し当てることと、
前記痴漢被疑者の手が押し当てられた前記付着物記録シートの前記第１の領域と前記第２の領域とを、互いに分離することと、
互いに分離された前記第１の付着物記録シートの前記第１の領域と前記第２の領域との一方を、第１の袋に収納することと、
互いに分離された前記第１の付着物記録シートの前記第１の領域と前記第２の領域との他方を、第２の袋に収納することと、
収納がなされた前記第１及び第２の袋を封じることと、
前記第１及び第２の袋の封じられた部位に、前記痴漢被疑者と、警察官または痴漢被害者とが、拇印又は押印を付すことと、
拇印又は押印の付された前記第１の袋と、拇印又は押印の付された前記第２の袋とを、拇印又は押印を付した者の間で分配することと、を備える痴漢無実証明具の使用方法。
【請求項１０】
下敷きシートと、当該下敷きシートの上に、粘着剤により引きはがし可能に重ねられ、上面に粘着剤が塗布されるとともに、各々がひと続きである２領域に分離されている付着物記録シートと、当該付着物記録シートの上に引きはがし可能に重ねられた保護シートと、を備え、前記付着物記録シートは、人の手形を表示しており、前記２領域は、当該手形の各指の領域を分割し合うとともに、当該手形の掌の領域をも分割し合っている、痴漢無実証明シート。
【請求項１１】
下敷きシートと、当該下敷きシートの上に、粘着剤により引きはがし可能に重ねられ、上面に粘着剤が塗布されるとともに、各々がひと続きである２領域に分離されている付着物記録シートと、当該付着物記録シートの上に引きはがし可能に重ねられた保護シートと、を備え、前記付着物記録シートの前記２領域は、前記付着物記録シートのある領域を、細長状の小領域に交互に分割している、痴漢無実証明シート。
【発明の詳細な説明】
【技術分野】
【０００１】
本発明は、事実誤認による痴漢の嫌疑を掛けられた被疑者が無実を立証するのに役立つ痴漢無実証明具、付着物記録シート、及びそれらの使用方法に関する。
【背景技術】
【０００２】
痴漢事件においては、被害者の一方的な主張を警察も検察も裁判所も信用し、判例に基づいて次々と有罪にするしかない、というのが現状である。現実に、ある事件では、男女が痴漢被害者役と目撃者役とになって、「かも」（標的）を見つけて恐喝し、金銭をせしめる計画であったところ、仲間割れから事実が発覚し、被疑者の無実が証明されている。
【０００３】
また別の事件では、防衛医科大学教授が女子高校生の下着の中に左手を入れ、下半身を触ったとして起訴され、終始無罪を主張したが、１、２審では女性の主張が一方的に認められ有罪とされた。最高裁判所小法廷では、鑑定で指から下着の繊維が検出されていないなど客観的な証拠が無く、起訴内容を支える証拠は女性の証言だけであると指摘し、女性の不自然な行為をも指摘して、信用性を全面的に認めた１，２審の判断は慎重さを欠く、として無罪判決を言い渡している。但し、本裁判でも、５名の裁判官のうち、３名が無罪としたが、２名は過去の判例から有罪としている。（平成２１年４月１５日「毎日新聞」より）
【０００４】
２００５年に警察庁も、目撃者の確保や、被疑者の手に着いた繊維、身体の分泌物を証拠として提出する科学的捜査の推進を、都道府県本部に通達している。しかし現実には、真の目撃者捜しや物証の確保は困難であり、ほとんどは被害者の証言のみで起訴されている（検察幹部）というのが実態である。
【０００５】
痴漢嫌疑に対し無実を立証し、冤罪を防ぐための器具も、例は少ないながら従来より知られている（特許文献１、２参照）。しかし、特許文献１及び２に開示される器具は、いずれも被疑者とされる恐れのある男性が、特殊な構造の手袋を常時着用することによって、所要の立証目的を達成しようとするものであり、実用性に欠ける、という問題点があった。
【先行技術文献】
【特許文献】
【０００６】
【特許文献１】特開2013-217002号公報
【特許文献２】実用新案登録第3156446号公報
【発明の概要】
【発明が解決しようとする課題】
【０００７】
本発明は上記の問題点に鑑みてなされたもので、痴漢無実の証明に役立ち、かつ実用性の高い痴漢無実証明具、付着物記録シート、及びそれらの使用方法を提供することを目的とする。
【課題を解決するための手段】
【０００８】
上記課題を解決し上記目的を達成するために、本発明のうち第１の態様によるものは、痴漢無実証明具であって、第１の痴漢無実証明シートと、第２の痴漢無実証明シートと、を備えている。前記第１の痴漢無実証明シートは、第１の下敷きシートと、当該第１の下敷きシートの上に、粘着剤により引きはがし可能に重ねられ、上面に粘着剤が塗布されるとともに、各々がひと続きである２領域に分離されている第１の付着物記録シートと、当該第１の付着物記録シートの上に引きはがし可能に重ねられた第１の保護シートと、を備えている。前記第１の付着物記録シートは、人の右手の手形を表示しており、前記２領域は、当該手形の各指の領域と掌の領域とを分割し合っている。前記第２の痴漢無実証明シートは、第２の下敷きシートと、当該第２の下敷きシートの上に、粘着剤により引きはがし可能に重ねられ、上面に粘着剤が塗布されるとともに、各々がひと続きである２領域に分離されている第２の付着物記録シートと、当該第２の付着物記録シートの上に引きはがし可能に重ねられた第２の保護シートと、を備えている。前記第２の付着物記録シートは、人の左手の手形を表示しており、前記２領域は、当該手形の各指の領域と掌の領域とを分割し合っている。
【０００９】
この構成によれば、１組の痴漢無実証明シートの保護シートを引きはがして、露出する付着物記録シートの上に、表示された手形に合わせるように、痴漢被疑者の左手及び右手を押し当てることにより、痴漢被害者の身体の皮膚、汗等の分泌物、衣服の繊維など、痴漢被疑者の手に付着していた痴漢行為の証拠となり得るものが、付着物記録シートに付着する。その後、各付着物記録シートを２領域に分離し、分離された各領域を、個別の袋に収納して封じる。それぞれの袋の封じた部位には、痴漢被疑者と痴漢被害者又は警察官とが、拇印又は押印を付す。そして、分離された一方領域が収納された袋と他方領域が収納された袋とを、痴漢被疑者と痴漢被害者又は警察官とが、分けて持つようにする。裁判法廷において、封が切られるまで、両者が封を切ることなく袋を保管することにより、痴漢行為の有無について、証拠力の高い物証を法廷に提出することが可能となる。
【００１０】
第１又は第２の付着物記録シートから分離された第１及び第２の領域のいずれにも、痴漢行為の証拠となり得るものが付着しておれば、痴漢行為の証拠となり得る。逆に、付着していなければ、痴漢行為がなかったことの証拠となり得るので、痴漢無実の証明に役立つ。分離された第１及び第２領域のうち、痴漢被害者が保持する一方にのみ、付着があり、痴漢被疑者が保持する他方には付着がなければ、双方の証拠物件の間に矛盾があることとなり、やはり痴漢無実の証明に役立つ。本構成による痴漢無実証明具は、いわれのない痴漢被疑者となり得る男性が常時携帯することにより、痴漢冤罪から自己を保護する手段として、使用することができる。逆に、その名称に関わりなく、痴漢被害者となり得る女性が持ち歩くことにより、痴漢行為への救済の手段として、使用することも可能である。さらに、警察署に常備するか警察官が携行することにより、痴漢行為の有無について立証する手段として、使用することも可能である。
【００１１】
本発明のうち第２の態様によるものは、第１の態様による痴漢無実証明具であって、第３の痴漢無実証明シートを、さらに備えている。前記第３の痴漢無実証明シートは、第３の下敷きシートと、当該第３の下敷きシートの上に、粘着剤により引きはがし可能に重ねられ、上面に粘着剤が塗布されるとともに、各々がひと続きである２領域に分離されている第３の付着物記録シートと、当該第３の付着物記録シートの上に引きはがし可能に重ねられた第３の保護シートと、を備えている。前記第３の付着物記録シートの前記２領域は、前記第３の付着物記録シートのある領域を、細長状の小領域に交互に分割している。
【００１２】
この構成によれば、第３の痴漢無実証明シートの保護シートを引きはがして、露出する付着物記録シートの、細長状の小領域に交互に分割された領域を、痴漢被害者の触られたと称する身体又は衣服の部分に押し当てることにより、当該部分の皮膚、汗等の分泌物、衣服の繊維など、痴漢行為の証拠となり得るものが、付着物記録シートの上記領域に付着する。その後、この付着物記録シートを、第１及び第２の痴漢無実証明シートの各付着物記録シートとともに、２領域に分離し、それらの一方と他方とを、別の袋の一方と他方とに分けて収納して封じる。それぞれの袋の封じた部位には、痴漢被疑者と痴漢被害者又は警察官とが、拇印又は押印を付す。そして、一方の袋と他方の袋を、痴漢被疑者と痴漢被害者又は警察官とが、分けて持つようにする。裁判法廷において封が切られるまで、両者が封を切ることなく袋を保管することにより、痴漢行為の有無について、さらに証拠力の高い物証を法廷に提出することが可能となる。
【００１３】
第１又は第２の痴漢無実証明シートの付着物記録シートから分離された第１及び第２の領域のいずれにも、同じ付着物があり、かつ、当該付着物が、第３の痴漢無実証明シートの付着物記録シートから分離された第１及び第２の領域の付着物と一致しておれば、痴漢行為の証拠となり得る。逆に、そうでなければ、痴漢行為がなかったことの証拠となり得るので、痴漢無実の証明に役立つ。分離された第１及び第２領域のうち、痴漢被害者が保持する一方にのみ、第１又は第２の付着物記録シートと第３の付着物記録シートとの間で付着物の一致があり、痴漢被疑者が保持する他方には一致がなければ、双方の証拠物件の間に矛盾があることとなり、やはり痴漢無実証明に役立つ。このように、痴漢被害者が触られたと称する身体又は衣服の部位からの付着物を、付着物記録シートに採取し、それとの対比を可能とすることにより、痴漢行為の有無について、より証拠力の高い物的証拠を確保することができる。
【００１４】
本構成による痴漢無実証明具も、いわれのない痴漢被疑者となり得る男性が常時携帯することにより、痴漢冤罪から自己を保護する手段として使用することができ、逆に、痴漢被害者となり得る女性が持ち歩くことにより、痴漢行為への救済の手段として使用することも可能であり、さらに、警察署に常備するか警察官が携行することにより、痴漢行為の有無について立証する手段として、使用することも可能である。
【００１５】
本発明のうち第３の態様によるものは、第１又は第２の態様による痴漢無実証明具であって、当該痴漢無実証明具が備える前記痴漢無実証明シートのすべてを収納する収納袋を、さらに備えている。
この構成によれば、携行に便宜である。
【００１６】
本発明のうち第４の態様によるものは、第３の態様による痴漢無実証明具であって、前記収納袋に収納されるすべての前記痴漢無実証明シートの付着物記録シートの前記第１及び第２の領域を分離して、個別に収納可能な複数の袋を、さらに備えている。
この構成によれば、各付着物記録シートの２領域を、分離して個別に収納するのに、別途袋を調達する必要が無く、便宜である。
【００１７】
本発明のうち第５の態様によるものは、第３又は第４の態様による痴漢無実証明具であって、前記収納袋に収納され、拇印又は印鑑押印のための朱肉を、さらに備えている。
【００１８】
この構成によれば、各付着物記録シートの２領域を、分離して個別に収納した複数の袋を封止し、封止した部位に、痴漢被疑者と検察官又は痴漢被害者とが、ともに拇印又は印鑑を押印するのに便宜である。
【００１９】
本発明のうち第６の態様によるものは、付着物記録シートであって、シート状であり、一主面に粘着剤が塗布されるとともに、各々がひと続きである２領域に分離されており、かつ人の手形を表示しており、前記２領域は、当該手形の各指の領域と掌の領域とを分割し合っている。
【００２０】
この構成によれば、付着物記録シートの上に、表示された手形に合わせるように、痴漢被疑者の手を押し当てることにより、痴漢被害者の身体の皮膚、汗等の分泌物、衣服の繊維など、痴漢被疑者の手に付着していた痴漢行為の証拠となり得るものが、付着物記録シートに付着する。その後、付着物記録シートを２領域に分離し、分離された各領域を、個別の袋に収納して封じる。それぞれの袋の封じた部位には、痴漢被疑者と痴漢被害者又は警察官とが、拇印又は押印を付す。そして、分離された一方領域が収納された袋と他方領域が収納された袋とを、痴漢被疑者と痴漢被害者又は警察官とが、分けて持つようにする。第１の態様について述べたところと同様に、裁判法廷において、封が切られるまで、両者が封を切ることなく袋を保管することにより、痴漢行為の有無について、証拠力の高い物証を法廷に提出することが可能となる。
【００２１】
本発明のうち第７の態様によるものは、第１の態様による痴漢無実証明具の使用方法であって、前記第１の痴漢無実証明シートの前記第１の保護シートを引きはがし、前記第１の付着物記録シートの前記手形の上に、痴漢被疑者の右手を押し当てることと、前記痴漢被疑者の右手が押し当てられた前記第１の付着物記録シートの前記第１の領域と前記第２の領域とを、互いに分離することと、前記第２の痴漢無実証明シートの前記第２の保護シートを引きはがし、前記第２の付着物記録シートの前記手形の上に、前記痴漢被疑者の左手を押し当てることと、前記痴漢被疑者の左手が押し当てられた前記第２の付着物記録シートの前記第１の領域と前記第２の領域とを、互いに分離することと、を備えている。
前記使用方法は、さらに、互いに分離された前記第１の付着物記録シートの前記第１の領域と前記第２の領域との一方を、第１の袋に収納することと、互いに分離された前記第１の付着物記録シートの前記第１の領域と前記第２の領域との他方を、第２の袋に収納することと、互いに分離された前記第２の付着物記録シートの前記第１の領域と前記第２の領域との一方を、第３の袋に収納することと、互いに分離された前記第２の付着物記録シートの前記第１の領域と前記第２の領域との他方を、第４の袋に収納することと、を備えている。
前記使用方法は、さらに、収納がなされた前記第１から第４の袋を封じることと、
前記第１から第４の袋の封じられた部位に、前記痴漢被疑者と、警察官または痴漢被害者とが、拇印又は押印を付すことと、拇印又は押印の付された前記第１及び第３の袋と、拇印又は押印の付された前記第２及び第４の袋とを、拇印又は押印を付した者の間で分配することと、を備えている。
【００２２】
この構成によれば、第１の態様による痴漢無実証明具について述べた通り、裁判法廷において封が切られるまで封を切ることなく、分配された袋を両者が保管することにより、痴漢行為の有無について、証拠力の高い物証を法廷に提出することが可能となる。
【００２３】
本発明のうち第８の態様によるものは、第２の態様による痴漢無実証明具の使用方法であって、前記第１の痴漢無実証明シートの前記第１の保護シートを引きはがし、前記第１の付着物記録シートの前記手形の上に、痴漢被疑者の右手を押し当てることと、前記痴漢被疑者の右手が押し当てられた前記第１の付着物記録シートの前記第１の領域と前記第２の領域とを、互いに分離することと、前記第２の痴漢無実証明シートの前記第２の保護シートを引きはがし、前記第２の付着物記録シートの前記手形の上に、前記痴漢被疑者の左手を押し当てることと、前記痴漢被疑者の左手が押し当てられた前記第２の付着物記録シートの前記第１の領域と前記第２の領域とを、互いに分離することと、前記第３の痴漢無実証明シートの前記第３の保護シートを引きはがし、前記第３の付着物記録シートの、細長状の小領域に交互に分割された前記領域を、痴漢被害者の身体又は衣服の上に押し当てることと、前記痴漢被害者の身体又は衣服の上に押し当てられた前記第３の付着物記録シートの前記第１の領域と前記第２の領域とを、互いに分離することと、を備えている。
前記使用方法は、さらに、互いに分離された前記第１の付着物記録シートの前記第１の領域と前記第２の領域との一方を、第１の袋に収納することと、互いに分離された前記第１の付着物記録シートの前記第１の領域と前記第２の領域との他方を、第２の袋に収納することと、互いに分離された前記第２の付着物記録シートの前記第１の領域と前記第２の領域との一方を、第３の袋に収納することと、互いに分離された前記第２の付着物記録シートの前記第１の領域と前記第２の領域との他方を、第４の袋に収納することと、互いに分離された前記第３の付着物記録シートの前記第１の領域と前記第２の領域との一方を、第５の袋に収納することと、互いに分離された前記第３の付着物記録シートの前記第１の領域と前記第２の領域との他方を、第６の袋に収納することと、を備えている。
また、前記使用方法は、さらに、収納がなされた前記第１から第６の袋を封じることと、前記第１から第６の袋の封じられた部位に、前記痴漢被疑者と、警察官または痴漢被害者とが、拇印又は押印を付すことと、拇印又は押印の付された前記第１、第３及び第５の袋と、拇印又は押印の付された前記第２、第４及び第６の袋とを、拇印又は押印を付した者の間で分配することと、を備えている。
【００２４】
この構成によれば、第２の態様による痴漢無実証明具について述べた通り、裁判法廷において封が切られるまで封を切ることなく、分配された袋を両者が保管することにより、痴漢行為の有無について、さらに証拠力の高い物証を法廷に提出することが可能となる。
【００２５】
本発明のうち第９の態様によるものは、第６の態様による付着物記録シートの使用方法であって、前記付着物記録シートの前記手形の上に、痴漢被疑者の手を押し当てることと、前記痴漢被疑者の手が押し当てられた前記付着物記録シートの前記第１の領域と前記第２の領域とを、互いに分離することと、を備えている。
前記使用方法は、さらに、互いに分離された前記第１の付着物記録シートの前記第１の領域と前記第２の領域との一方を、第１の袋に収納することと、互いに分離された前記第１の付着物記録シートの前記第１の領域と前記第２の領域との他方を、第２の袋に収納することと、を備えている。
また、前記使用方法は、さらに、収納がなされた前記第１及び第２の袋を封じることと、前記第１及び第２の袋の封じられた部位に、前記痴漢被疑者と、警察官または痴漢被害者とが、拇印又は押印を付すことと、拇印又は押印の付された前記第１の袋と、拇印又は押印の付された前記第２の袋とを、拇印又は押印を付した者の間で分配することと、を備えている。
【００２６】
この構成によれば、第６の態様による付着物記録シートについて述べた通り、裁判法廷において封が切られるまで封を切ることなく、分配された袋を両者が保管することにより、痴漢行為の有無について、証拠力の高い物証を法廷に提出することが可能となる。
【発明の効果】
【００２７】
以上のように本発明によれば、痴漢無実の証明に役立てることができ、しかも、常時着用する必要がなく、かつ構成及び用法が簡便であることから、実用性の高い痴漢無実証明具、付着物記録シート及びそれらの使用方法が実現する。
【図面の簡単な説明】
【００２８】
【図１】本発明の一実施の形態による痴漢無実証明具を構成する痴漢無実証明シートの斜視図である。
【図２】図１の痴漢無実証明シートを構成する付着物記録シートの一例を示す平面図である。
【図３】図１の痴漢無実証明シートを構成する付着物記録シートの別の一例を示す平面図である。
【図４】図１の痴漢無実証明シートを含む本発明の一実施の形態による痴漢無実証明具の構成を示す図である。
【図５】本発明の一実施の形態による痴漢無実証明具の使用法を例示する説明図である。
【発明を実施するための形態】
【００２９】
図１は、本発明の一実施の形態による痴漢無実証明具を構成する痴漢無実証明シートの斜視図である。この痴漢無実証明シート１０１は、下敷きシート１、付着物記録シート３、及び保護シート５を有している。付着物記録シート３は、粘着剤により下敷きシート１の上面に、引きはがし可能に重ねられている。付着物記録シート３の上面には、粘着剤が塗布されている。保護シート５は、粘着剤が塗布された付着物記録シート３の上面に、引きはがし可能に重ねられている。
【００３０】
これらのシートは、例えばプラスチックシートであり、また一例として、下敷きシート１はある程度の剛性を有するほどに厚みを有し、付着物記録シート３及び保護シート５は、下敷きシート１よりも薄く、しなやかである。別の例として、付着物記録シート３はある程度の剛性を有するほどに厚みを有し、下敷きシート１及び保護シート５は、付着物記録シート３よりも薄く、しなやかである。なお、例はこれらに限られない。
【００３１】
図２は、図１の付着物記録シート３の一例を示す平面図である。付着物記録シート３には、人の手形１１が印刷されており、この手形１１を含む領域が、領域７と領域９とに分割されている。その結果、下敷きシート１から、領域７と領域９とを、個別に引きはがすことが可能となっている。領域７と領域９とは、各々がひと続きとなっている。領域７と領域９とは、手形１１の各指の領域を分割し合っており、また掌（てのひら）の領域をも分割し合っている。図２には、手形１１が右手を表した例を示しているが、本実施の形態による痴漢無実証明具には、手形１１が左手を表した付着物記録シート３を有する痴漢無実証明シート１０１が、別途含まれる。
【００３２】
図３は、図１の付着物記録シート３の別の例を示す平面図である。この付着物記録シート１３は、図２の付着物記録シート３とは形態が異なるため、符号を異ならせている。付着物記録シート１３は、領域１７と領域１９とに分割されている。その結果、下敷きシート１から、領域１７と領域１９とを、個別に引きはがすことが可能となっている。領域１７と領域１９とは、各々がひと続きとなっている。領域１７と領域１９とは、付着物記録シート１３の略全体の領域を、細長状の小領域に交互に分割している。ある領域を細長状の小領域に交互に分割する形態として、図３の例のように、直線状に延び、互いに平行な帯状領域によって交互に分割する形態とは、別の形態を採ることも可能である。例えば、蚊取り線香のように、互いの隙間を埋めるように組み合わされた渦巻き状の２領域を、領域１７及び１９とすることも可能である。
【００３３】
なお、下敷きシート１、付着物記録シート３又は１３、及び保護シート５は、付着物記録シート３の領域７と９とのいずれか、又は付着物記録シート１３の領域１７と１９とのいずれかが、他から切り離し可能なように、互いに綴じられていてもよい。例えば、図１において、痴漢無実証明シート１０１が点線に沿って綴じられていても良い。この形態においても、下敷きシート１、付着物記録シート３又は１３、及び保護シート５は、互いに引きはがし可能であることに変わりはない。
【００３４】
図４は、本実施の形態による痴漢無実証明具の構成を示す図である。この痴漢無実証明具１０４は、図１に例示した痴漢無実証明シート１０１と、その２種の展開形態である痴漢無実証明シート１０２、１０３を含んでいる。痴漢無実証明具１０４は、さらに、６つの封筒２１、及び拇印又は印鑑押印のための朱肉２３、及び別の封筒２５を含んでいる。封筒２１は、本発明の袋の一具体例に相当し、封筒２５は収納袋の一具体例に相当する。痴漢無実証明シート１０１は、右手用の付着物記録シート３を有しており、痴漢無実証明シート１０２は、左手用の付着物記録シート３を有しており、痴漢無実証明シート１０３は、図３に例示した付着物記録シート１３を有している。封筒２１は、痴漢無実証明シート１０１〜１０３の付着物記録シート３、１３の分離された領域７，９及び領域１７，１９を、個別に収納して封じるためのものである。封筒２５は、痴漢無実証明シート１０１〜１０３、６つの封筒２１、及び朱肉２３を、収納するためのものである。
【００３５】
次に、本実施の形態による痴漢無実証明具１０４の使用法の例について説明する。痴漢無実証明具１０４は、例えば、無実の被疑者とされ得る男性が、通勤途上等において、鞄等に収納し携帯する。携帯者は、女性からいわれのない嫌疑を掛けられる事態が発生すると、例えば駅長室において、携帯する痴漢無実証明具１０４を取り出し、封筒２５の中から、痴漢無実証明シート１０１〜１０３を取り出す。そして、痴漢無実証明シート１０１及び１０２の保護シート５をはがして、右手用及び左手用の付着物記録シート３の上に、手形に沿うように自身の右手及び左手を押し当てる。また、女性には、痴漢無実証明シート１０３の保護シート５をはがして、その付着物記録シート１３の２領域１７，１９に分割されている領域を、「触られた」と称する身体又は衣服の部位に押し当ててもらう。様々な部位を押し当て可能とするよう、痴漢無実証明具１０４は、痴漢無実証明シート１０３を複数有していても良い。
【００３６】
押し当てが終了した痴漢無実証明具１０１〜１０３の付着物記録シート３、１３は、領域７と９との間、及び領域１７と１９との間で分離される。そして、分離された領域７，９，１７，１９は、封筒２１に個別に収納される。このとき、領域７，９の一方、及び領域１７，１９の一方は、他方が除去された痴漢無実証明シート１０１〜１０３のままで、封筒２１に収納しても良い。６つの封筒２１は、封をした後に、図５に例示するように、封じた部位に、両者が拇印又は押印を付す。このとき、封筒２５に収納されている朱肉２３を使用することができる。拇印又は押印を付し終わった６つの封筒２１は、付着物記録シート３の分離された領域７と９とが分配され、及び付着物記録シート１３の分離された領域１７と１９とが分配されるように、両者が分けて持つ。
【００３７】
痴漢行為があったとすれば、手が触れた女性の身体又は衣服の部分の痕跡、例えば汗等の体液、衣服の繊維等が、嫌疑を掛けられた男性の手に付着しているはずである。付着物記録シート３には、粘着剤が塗布されているので、男性の手を押し当てることにより、これらの付着物が、付着物記録シート３へ付着する。付着物記録シート１３にも、粘着剤が塗布されているので、女性の「触られた」と称する身体又は衣服の部分を押し当てることにより、「触られた」部分の痕跡が付着物記録シート１３に付着する。従って、裁判法廷において封が切られるまで、両者が封を切ることなく袋２１を保管することにより、痴漢行為の有無について、証拠力の高い物証を法廷に提出することが可能となる。
【００３８】
一対の付着物記録シート３のいずれか一方と、付着物記録シート１３との間に付着物の共通性があり、しかも、両者が分けて持つ、領域７，９の間、及び領域１７，１９の間にも、付着物の共通性があれば、痴漢行為があったことの証拠となる。逆に、そうでなければ、痴漢行為はなかったことの証拠となる。領域７，９の間、及び領域１７，１９の間において、付着物に共通性があるか否かをも判断することができるので、封筒２１を保持する一方による巧みな証拠偽造による誤判断を防止することができる。このように、痴漢無実証明具１０４は、痴漢被疑者の無実を高い証拠力をもって証明することができる。同時に、置換被害者の被害の事実を、高い証拠力をもって証明することも可能である。しかも、痴漢無実証明具１０４は、特許文献１及び２に開示される技術とは異なり、常時着用する必要がなく、かつ構成及び用法が簡便であり、実用性にも優れている。
【００３９】
痴漢無実証明具１０４に代えて、痴漢無実証明シート１０１及び１０２のみを有する痴漢無実証明具であっても、痴漢無実及び痴漢行為の証明に役立てることができる。痴漢無実証明シート１０１の右手用の付着物記録シート３と、痴漢無実証明シート１０２の左手用の付着物記録シート１３と、のいずれかに、痴漢被害者の身体又は衣服の部位の痕跡が付着しており、しかも、両者が分けて持つ、領域７，９の間、及び領域１７，１９の間にも、付着物の共通性があれば、痴漢行為があったことの証明に役立つ。逆に、そうでなければ、痴漢行為がなかったことの証明に役立つ。
【００４０】
なお、痴漢無実証明具１０４あるいは、他の実施の形態による痴漢無実証明具は、痴漢嫌疑の被害者となり得る男性が携行する代わりに、警察署や駅等に保管しておき、警察官等の指導の下に、痕跡の採取が行われてもよい。また、一方に分配される封筒２１は、被害を主張する女性に代わって、痴漢行為を立証したい警察が保管してもよい。また、封筒２１に付する拇印又は印鑑は、女性に代わって警察官が付しても良い。
【符号の説明】
【００４１】
１  下敷きシート
３，１３  付着物記録シート
５  保護シート
７，９，１７，１９  領域
１１  手形
２１  封筒（袋）
２３  朱肉
２５  封筒（収納袋）
３１，３３  拇印又は押印
１０１，１０２，１０３  痴漢無実証明シート
１０４  痴漢無実証明具
【図１】
0006270238.tif 000002
【図２】
0006270238.tif 000003
【図３】
0006270238.tif 000004
【図４】
0006270238.tif 000005
【図５】
0006270238.tif 000006